(57)【要約】【課題】遊技盤ユニット交換時のコストを抑えるとともに、遊技盤ユニット交換時の作業性を向上させる。【解決手段】パチンコ機１０は、本体１２と前面扉１４とを備えている。本体１２にはガイド通路４２が組み込まれ、前面扉１４には遊技盤ユニット２０が取り付けられている。ガイド通路４２は、発射装置から発射された遊技球を遊技盤ユニット２０に形成された遊技領域２４に案内する。遊技盤ユニット２０は、前面扉１４の背面に配置されたスライドレール５４ａ、５４ｂに対して着脱自在に設けられている。ガイド通路４２は、パチンコ機の機種によらず共用できるので、遊技盤ユニット２０を交換する際のコストを抑えることができる。また、遊技盤ユニット２０をスライドさせて着脱できるので、遊技盤ユニット２０を交換する際の作業性を向上できる。【選択図】図３
2009077784.tif 000002
【特許請求の範囲】
【請求項１】
遊技球を流下させる遊技領域を備えたパチンコ機において、
遊技球を上方向に発射する発射装置、及び、前記発射装置から発射された遊技球の軌道に沿って上下方向に長く形成され、前記発射装置から発射された遊技球を、左右方向への移動を規制しながら上方向へ案内する遊技球ガイド通路が組み込まれた遊技機本体と、
前記遊技領域を視認させる窓部を有し、前記遊技機本体の前面側に軸着されて開閉自在に保持される前面扉と、
前記遊技領域が形成され、前記前面扉に着脱自在に設けられた遊技盤ユニットとを備え、
前記遊技盤ユニットは、
前記遊技領域の前面を画定する前面透明板と、
前記遊技領域の後面を画定する後面板、及び、前記遊技領域の周面を画定する枠壁を有し、前記前面透明板の後面に取り付けられる後部桶体とからなり、
前記前面透明板は、
前面が遊技者と対峙し、後面側に複数の遊技釘が植設されており、
前記後部桶体は、
前記前面扉を閉じたときに前記遊技球ガイド通路の出口と連通し、前記発射装置から発射された遊技球を前記遊技領域に受け入れるための受け入れ口と、
前記遊技領域から遊技球を排出するための排出口とを備えていることを特徴とするパチンコ機。
【請求項２】
前記前面扉は、前記遊技盤ユニットの左右両側部をスライド自在に保持する一対のスライドレールを備え、
前記遊技盤ユニットは、前記スライドレールと係合するように、前記前面扉の上方から下方へ向けて移動されることで前記前面扉に装着されるとともに、前記前面扉に装着された状態から上方へ向けて移動されることで前記係合が解除されて前記前面扉から取り外されることを特徴とする請求項１記載のパチンコ機。
【請求項３】
前記遊技機本体に、各種画像を表示する表示手段を組み込むとともに、
前記後面板を介して前記表示手段を視認できるように、前記後面板を透明な材料から形成したことを特徴とする請求項１または２記載のパチンコ機。
【発明の詳細な説明】
【技術分野】
【０００１】
本発明は、パチンコ店などの遊技場に設置されるパチンコ機に関するものである。
【背景技術】
【０００２】
パチンコ機は、遊技球を発射する発射装置が組み込まれた本体枠と、この本体枠に軸着されて開閉自在に保持される前面扉とを備えている。本体枠には、発射装置が発射した遊技球が打ち出される遊技領域を備えた遊技盤（遊技盤ユニット）が取り付けられている。遊技盤は、発射装置から発射された遊技球を遊技領域に案内するためのガイドレール（ガイド部材）と一体に形成されており、ネジ止めされたり、周知のロック機構により係止されるなどして本体枠に取り付けられる。また、遊技盤は、パチンコ機の機種変更などの際には、本体枠から取り外されて仕様の異なるものへと交換される。
【特許文献１】特開２０００−１０７３６６号公報
【特許文献２】特開２００５−７０２４号公報
【発明の開示】
【発明が解決しようとする課題】
【０００３】
しかしながら、従来のパチンコ機は、ガイドレールごと遊技盤を交換するため、遊技盤交換時にコストがかかってしまうといった問題があった。また、ガイドレールが遊技盤を介して本体枠に取り付けられるため、ガイドレールにがたつきが生じたり、遊技球発射装置とガイドレールとの位置関係がずれたりしてしまい、遊技球を安定して打ち出すことができなくなってしまうといった問題があった。
【０００４】
また、パチンコ機は年々複雑化及び多様化が進んでおり、各種部品の搭載スペースを確保することが困難であるといった問題もあった。さらに、従来のパチンコ機は、遊技盤の着脱作業が煩わしいといった問題があった。
【０００５】
本発明は、上記背景を鑑みてなされたものであり、遊技盤交換時のコストを抑えることのできるパチンコ機を提供することを目的としている。また、本発明は、内部スペースを有効活用し、各種部品の搭載スペースを確保できるパチンコ機を提供することを目的としている。さらに、本発明は、遊技盤交換時の作業性を向上できるパチンコ機を目的としている。
【課題を解決するための手段】
【０００６】
上記目的を達成するために本発明のパチンコ機は、遊技球を流下させる遊技領域を備えたパチンコ機において、遊技球を上方向に発射する発射装置、及び、前記発射装置から発射された遊技球の軌道に沿って上下方向に長く形成され、前記発射装置から発射された遊技球を、左右方向への移動を規制しながら上方向へ案内する遊技球ガイド通路が組み込まれた遊技機本体と、前記遊技領域を視認させる窓部を有し、前記遊技機本体の前面側に軸着されて開閉自在に保持される前面扉と、前記遊技領域が形成され、前記前面扉に着脱自在に設けられた遊技盤ユニットとを備え、前記遊技盤ユニットは、前記遊技領域の前面を画定する前面透明板と、前記遊技領域の後面を画定する後面板、及び、前記遊技領域の周面を画定する枠壁を有し、前記前面透明板の後面に取り付けられる後部桶体とからなり、前記前面透明板は、前面が遊技者と対峙し、後面側に複数の遊技釘が植設されており、前記後部桶体は、前記前面扉を閉じたときに前記遊技球ガイド通路の出口と連通し、前記発射装置から発射された遊技球を前記遊技領域に受け入れるための受け入れ口と、前記遊技領域から遊技球を排出するための排出口とを備えていることを特徴としている。
【０００７】
前記前面扉は、前記遊技盤ユニットの左右両側部をスライド自在に保持する一対のスライドレールを備え、前記遊技盤ユニットは、前記スライドレールと係合するように、前記前面扉の上方から下方へ向けて移動されることで前記前面扉に装着されるとともに、前記前面扉に装着された状態から上方へ向けて移動されることで前記係合が解除されて前記前面扉から取り外されることが好ましい。
【０００８】
また、前記遊技機本体に、各種画像を表示する表示手段を組み込むとともに、前記後面板を介して前記表示手段を視認できるように、前記後面板を透明な材料から形成することが好ましい。
【発明の効果】
【０００９】
本発明によれば、遊技機本体にガイド部材を組み込んだので、ガイド部材を異なる機種間で共用でき、遊技盤ユニットを交換する際のコストを抑えることができる。また、ガイド部材にがたつきが生じたり、発射装置とガイド部材との位置関係がずれてしまうといった問題を防止して、遊技球を安定して打ち出すことができる。
【００１０】
さらに、本発明によれば、遊技盤ユニットの前面透明板が遊技者と対峙するようにしたので、例えば、前面扉に複層のガラス板を配置し、その背後に遊技領域を形成する場合と比較して、ガラス板を廃止できるだけでなく遊技盤ユニットの搭載位置を前方へずらすことができるので、本体枠内のスペースを有効活用でき、より大型、または、より多くの部品を搭載できる。また、本発明によれば、遊技盤ユニットをスライドさせて着脱できるため、交換時の作業性を向上できる。
【発明を実施するための最良の形態】
【００１１】
図１において、パチンコ機１０は、本体（遊技機本体）１２と、本体１２の前面に軸着されて回動自在に保持される前面扉１４とを備えている。本体１２は、矩形箱形状に形成され、本体１２の内部には、後述する遊技盤ユニット２０を組み込むための空間が形成されている。前面扉１４は、開口（窓部）１６を有する枠形状に形成されており（図３参照）、この開口１６から遊技盤ユニット２０を構成する前面透明板２２が露呈されている。前面透明板２２の背後には、遊技領域２４が形成されている。遊技領域２４には、通常入賞口２６、始動入賞口２８、大入賞口３０、大入賞口３０を開閉するアタッカ３２などが設けられている。
【００１２】
前面扉１４の下方には、発射ハンドル３４、受け皿３６が設けられている。発射ハンドル３４が回動操作されると、遊技領域２４に遊技球が打ち出される。遊技領域２４に打ち出された遊技球が通常入賞口２６、または、始動入賞口２８に入賞すると、予め設定された個数の遊技球が賞球として受け皿３６に払い出される。また、遊技球が始動入賞口２８に入賞すると、当たりまたはハズレを決定する当たり抽選が行われる。当たり抽選の結果は、遊技盤ユニット２０の背後に設けられた液晶ディスプレイ（表示手段）３８（図２、図３参照）に表示される。当たり抽選に当選すると当たりモードへ移行する。当たりモードでは、アタッカ３２が開放されて遊技球を大入賞口３０へ遊技球を入賞させることが可能となり、大量の賞球を得ることができる。
【００１３】
図２において、本体１２には、前述した液晶ディスプレイ３８に加え、発射装置４０、ガイド通路４２が組み込まれている。また、前面扉１４には、遊技盤ユニット２０が取り付けられている。周知のように、発射装置４０は、カウンタアーム４４を備え、発射ハンドル３４の回動に応じてカウンタアーム４４を揺動させて遊技球を１球ずつ上方へ向けて発射する。
【００１４】
ガイド通路４２は、遊技球の背面側への移動を規制する背面板４６と、遊技球の左右方向への移動を規制する略円弧状の一対のガイドレール４８ａ、４８ｂとから構成される。
ガイド通路４２は、発射装置４０から遊技球が打ち出される位置（受け皿３６の下方の位置）から、発射装置４０から打ち出された遊技球を遊技領域２４に投入する位置（本体１２の上部の位置）に渡って上下方向に長く形成されている。ガイド通路４２は、ガイドレール４８ａの下端部とガイドレール４８ｂの下端部との間に、発射装置４０から発射された遊技球を受け入れるための入口５０が形成されている。ガイド通路４２は、この入口５０が発射装置４０の上部に位置するように本体１２に固定される。また、ガイド通路４２は、ガイドレール４８ａの上端部とガイドレール４８ｂの上端部との間に、遊技球を排出するための出口５２が形成されている。発射装置４０から発射された遊技球は、この出口から５２から遊技領域２４の上部に打ち出される。なお、前面扉１４を閉じると、ガイド通路４２の前面に遊技盤ユニット２０が配置され、ガイド通路４２を通る遊技球の前面側への移動は遊技盤ユニット２０によって規制されるようになっている。
【００１５】
図３に示すように、前面扉１４の背面には、一対のスライドレール５４ａ、５４ｂが設けられており、遊技盤ユニット２０は、このスライドレール５４ａ、５４ｂに対して着脱自在に設けられている。スライドレール５４ａ、５４ｂは、水平方向の断面がＬ字型であり、上下方向に長く形成されている。スライドレール５４ａ、５４ｂは、Ｌ字の先端部が向かい合うように、前面扉１４の背面の左右両側部に配置される。また、前面扉１４の背面の下端部には、ストッパ５６が設けられている。ストッパ５６は、水平方向に長い板状に形成され、スライドレール５４ａ、５４ｂの下端部と前面扉１４の背面の下端部との間に形成された開口部を塞ぐように設けられている。そして、遊技盤ユニット２０は、前面透明板２２の左右両側部がスライドレール５４ａ、５４ｂと係合するように、前面扉１４の上方から下方へ移動され（スライドレール５４ａ、５４ｂの上端部と前面扉１４の背面との間に形成された開口部に前面透明板２２が挿入され）、前面透明板２２の下端がストッパ５６と当接する（前面透明板２２の下端がストッパ５６上に載置される）ことによって前面扉１４に取り付けられる。また、前面扉１４に取り付けられた遊技盤ユニット２０は、上方へ向けて移動させることで、スライドレール５４ａ、５４ｂとの係合が解除され、前面扉１４から取り外すことができる。
【００１６】
図４に示すように、遊技盤ユニット２０は、前面透明板２２と、前面透明板２２の後面に取り付けられる後部桶体６０とから構成される。後部桶体６０は、略円形の枠壁６２及び枠壁６２の後面側の開口を塞ぐ後面透明板（後面板）６４とからなり、枠壁６２の外側面に設けられたフランジ６２ａが、ネジ６６により前面透明板２２の後面に固定される。前面透明板２２に後部桶体６０が取り付けられると、枠壁６２の前面側の開口が前面透明板２２によって塞がれる。そして、前面透明板２２と後部桶体６０との間に形成された空間部分により遊技領域が構成される。すなわち、前面透明板２２に後部桶体６０が取り付けられると、前面透明板２２の後面により遊技領域２４の前面が画定され、枠壁６２の内周面により遊技領域２４の周面が画定され、後面透明板６４の前面により遊技領域２４の後面が画定される。なお、後部桶体６０は、スライドレール５４ａ、５４ｂ（図２、図３参照）の左右幅の間隔領域内に配置される幅（スライドレール５４ａ、５４ｂの幅よりも狭い幅）に形成されており、前面扉１４を開放してネジ６６を外すことにより、遊技盤ユニット２０を前面扉１４に取り付けたまま前面透明板２２から後面透明板６４を取り外すことができる。こうすることによって、手軽に遊技領域２４内のメンテナンスを行えるようにしている。
【００１７】
前面透明板２２は、アクリルなどの透明な樹脂から形成されており、後面には、遊技領域２４を流下する遊技球の動きに変化を与えるための複数の遊技釘６８が植設されている。本実施形態では、前面透明板２２として、厚さが１９．５ｍｍ以上であるとともに、従来のパチンコ機で用いている複層ガラス（例えば、特開平０９−０９９１５０の請求項１に記載された二枚のガラス板）に相当する厚さのものを用いている。また、本実施形態では、遊技釘６８として、長さ３３．６ｍｍのものを用い、この遊技釘６８の先端部の１９．５ｍｍを前面透明板２２に埋め込んでいる。なお、前面透明板２２の後面に、遊技釘６８に加え、遊技領域２４を流下する遊技球を一時的に滞在させるステージ役物などを設けてもよい。
【００１８】
枠壁６２は、一部が切り欠かれたステンレス板などから形成されており、切り欠き部分が遊技領域２４に遊技球を受け入れるための受け入れ口７０（図５参照）となっている。受け入れ口７０は、枠壁６２を貫通するように設けられ、前面扉１４を閉じた際にガイド通路４２の出口５２に対面する。これにより、遊技盤ユニット２０とガイド通路４２とが連通され、発射装置４０から発射された遊技球が遊技領域２４に打ち出される。
【００１９】
後面透明板６４は、アクリルなどの透明な樹脂から形成されている。また、本実施形態において、後面透明板６４は、前面透明板２２よりも厚みが薄く形成されている。後面透明板６４は、開口（排出口）７２、７４、７６、７８が設けられている。開口７２、７４、７６、７８は、後面透明板６４を貫通するように設けられており、遊技領域２４に打ち出された遊技球はこれら開口７２、７４、７６、７８から後面透明板６４の背後に排出される。
【００２０】
また、図５に示すように、後面透明板６４には、役物８０、８２、８４、８６が取り付けられている。役物８０は、液晶ディスプレイ３８を囲むように形成された開口８１を備えている。役物８２は通常入賞口２６を備え、役物８４は始動入賞口２８及び始動入賞口２８に遊技球が入賞し易い開き位置と始動入賞口２８に遊技球が入賞し難い閉じ位置との間で開閉される一対の移動部材８４ａ、８４ｂを備え、役物８６は、大入賞口３０及び大入賞口３０を開閉するアタッカ３２を備えている。そして、通常入賞口２６に入賞した遊技球は開口７２（図４参照）から排出され、始動入賞口２８に入賞した遊技球は開口７４（図４参照）から排出され、大入賞口３０に入賞した遊技球は開口７６（図４参照）から排出される。また、これらのいずれにも入賞しなかった遊技球は開口（アウト口）７８から排出される。
【００２１】
図２、図３に戻り、本体１２は、液晶ディスプレイ３８の下方部分が、液晶ディスプレイ３８の前面から１段窪むように形成されており、この窪みの下端部には、回収口９０が設けられている。そして、前面扉１４を閉じると、後面透明板６４の上部領域が液晶ディスプレイ３８の前面近傍に配置されるとともに、後面透明板６４の下部領域と本体１２との間に遊技球の直径よりもやや広い遊技球流下用の隙間が形成される。後面透明板６４の背面側に排出された遊技球は、この遊技球流下用の隙間を通って下方に移動し、回収口９０に入って回収される。
【００２２】
以上のように、パチンコ機１０では、本体（遊技機本体）にガイド通路（ガイド部材）遊技機本体にガイド部材を組み込んだので、ガイド部材を異なる機種間で共用でき、遊技盤ユニットを交換する際のコストを抑えることができる。また、ガイド部材にがたつきが生じたり、発射装置とガイド部材との位置関係がずれてしまうといった問題を防止して、遊技球を安定して打ち出すことができる。また、パチンコ機１０では、遊技盤ユニットをスライドさせて着脱できるようにしたので、遊技盤ユニットを交換する際の作業性を向上できる。
【００２３】
さらに、従来のパチンコ機は、複層ガラスを用い、この複層ガラスの背後に配置された遊技盤（本発明においては後面板）に遊技釘を配置しているので、遊技釘を打ち込めるように遊技盤の厚みを厚くする必要があった。これに対し、本発明は、複層ガラスに代えて透明な樹脂性の前面透明板を用いるようにしたので、複層ガラスに対して厚みを増すことなく前面透明板に遊技釘を設けることができる。これにより、本発明では、後面板に遊技釘を配置する必要がなく、後面板の厚みを薄くすることができる。そして、本願発明によれば、この後面板の厚みを薄くした分を、部品の搭載スペースとして使用できるため、スペース効率がよい。
【００２４】
なお、上記実施形態では、後部桶体を前面透明板にネジ止めする例で説明をしたが、本発明はこれに限定されるものではない。例えば、後部桶体を前述した遊技盤ユニットと同様のスライドレールを用いて前面透明板に取り付け、後部桶体をスライドさせることにより前面透明板から着脱できるように構成してもよい。また、後部桶体の一側部をヒンジを介して前面透明板に取り付け、他側部を周知の係止部材を用いて前面透明板に係止してもよい。こうすることで、係止部材の係止を解除して、後部桶体を開放することで遊技領域内のメンテナンスを行うことができるので、よりメンテナンス性が向上する。もちろん、後部桶体全体を開閉式とせずに、後部桶体の一部（例えば、後面板のうち遊技釘と対面する部分）をスライド式や開閉式としてもよい。
【００２５】
また、上記実施形態では、後面板を透明な樹脂製としたが、本発明はこれに限定されるものではない。後面板は、液晶ディスプレイを視認できるように構成されていればよいので、例えば、後面板をベニヤ板などの不透明な材料から形成し、液晶ディスプレイに対応する位置に開口を設けてもよい。
【００２６】
さらに、上記実施形態では、遊技盤ユニットをスライドさせて着脱する例で説明をしたが、本発明はこれに限定されるものではない。遊技盤ユニットは、前面扉の背面に着脱自在に設けられていればよいので、例えば、遊技盤ユニットを前面扉の背面にネジ止めしたり、周知の係止部材により係止してもよい。
【００２７】
また、上記実施形態では、遊技釘を前面透明板に設ける例で説明をしたが、本発明はこれに限定されるものではない。遊技釘の一部または全部を後部桶体に設けてもよい。
【００２８】
さらに、上記実施形態では、後面透明板に役物を設ける例で説明をしたが、図６に示すパチンコ機１００のように、本体に役物を設けてもよい。なお、図６においては、上述した実施形態と同様の部材については同様の符号を付して説明を省略している。
【００２９】
図６において、パチンコ機１００は、本体１０２に、役物取り付け板１０４が設けられ、この役物取り付け板１０４に、上記実施形態と同様の役物８０、８２、８４、８６が設けられている。役物取り付け板１０４は、液晶ディスプレイ３８の下方に形成された窪みの前面に配置されており、役物８０、８２、８４、８６に入賞した遊技球は、役物取り付け板の背後（窪みの内部）に案内された後、窪みの内部を下方へ向けて移動し、回収口９０に入って回収される。また、役物取り付け板１０４の下端部には、前面扉１４を閉じたときに遊技盤ユニット１０８の開口（アウト口）７８と対面し、開口７８に入った遊技球を回収口に案内する開口１１０が形成されている。
【００３０】
他方、遊技盤ユニット１０８は、後面透明板１１２に、前述した開口７８の他、開口１１４、１１６、１１８が設けられている。開口１１４は、役物８２に対応する形状に形成されている。そして、役物８２は、前面扉１４を閉じた際に、開口１１４から遊技領域２４内に突出するようになっている。また、開口１１６は、役物８４に対応する形状に形成されており、役物８４は、前面扉１４を閉じた際に、開口１１６から遊技領域２４内に突出するようになっている。同様に、役物８６は、前面扉１４を閉じた際に、開口１１８から遊技領域２４内に突出するようになっている。
【００３１】
本例によれば、本体に役物が設けられており、遊技盤ユニットを交換する際に役物を再利用できるので、遊技盤ユニット交換時のコストを抑えることができる。さらに、役物には、入賞を検知するセンサや、可動部材など本体と電気的に接続する必要のある部品が設けられているので、上記実施形態のように遊技盤ユニットに役物が搭載されている場合、ハーネス（配線）などによって本体と遊技盤ユニットとを電気的に接続する必要がある。これに対して本例では、遊技盤ユニットと本体とを電気的に接続する必要がなく、配線を簡略化できるので、コストを抑えることができる。また、ハーネス（配線）の着脱を行うことなく遊技盤ユニットの着脱が可能となるため、遊技盤ユニット交換時の作業性を向上させることができる。
【図面の簡単な説明】
【００３２】
【図１】パチンコ機の斜視図である。
【図２】前面扉を開放した状態を示すパチンコ機の斜視図である。
【図３】前面扉から遊技盤ユニットを取り外した状態を示す説明図である。
【図４】遊技盤ユニットの分解図である。
【図５】後部桶体を前方から観察した様子を示す説明図である。
【図６】前面扉を開放した状態を示すパチンコ機の斜視図である。
【符号の説明】
【００３３】
１０、１００  パチンコ機
１２、１０２  本体（遊技機本体）
１６  開口（窓部）
２０、１０８  遊技盤ユニット
２２  前面透明板
３８  液晶ディスプレイ（表示手段）
４０  発射装置
４２  ガイド通路
５２  出口
５４ａ、５４ｂ  スライドレール
５６  ストッパ
６０  後部桶体
６２  枠壁
６４、１１２  後面透明板（後面板）
６８  遊技釘
７０  受け入れ口
７２、７４、７６、７８  開口（排出口）
【図１】
2009077784.tif 000003
【図２】
2009077784.tif 000004
【図３】
2009077784.tif 000005
【図４】
2009077784.tif 000006
【図５】
2009077784.tif 000007
【図６】
2009077784.tif 000008